(57)【要約】      （修正有）【課題】コーヒー豆を研磨する機能を備えたコーヒータンブラーを提供する。【解決手段】タンブラー本体１はキャップ１４、第１タンブラー本体１１、第２タンブラー本体１２と第３タンブラー本体１３を含む。キャップ１４、第１タンブラー本体１１、第２タンブラー本体１２と第３タンブラー本体１３は上から下に順次接続されている。ハンドル６と変速機関はキャップ１４上に設置されている。ミルカバーとミルは第１タンブラー本体１１内に設置されている。第２タンブラー本体１２内にはフィルター７が設置されている。ミルとミルカバーにコーヒー豆の研磨を実現させる。研磨されたコーヒー豆の粉は、第２タンブラー本体１２の中に落ち、第２タンブラー本体１２の中のフィルター７により濾過される。濾過された後のコーヒーの粉は第３タンブラー本体１３に落下し、コーヒーを淹れて飲むことができる。【選択図】図１
0003205338.tif 000002
【実用新案登録請求の範囲】
【請求項１】
コーヒーミル機能付きコーヒータンブラーであって、タンブラー本体（1）が含まれ、タンブラー本体（1）内にはミル（2）、ミルカバー（3）とミル（2）と接続しているシャフト（4）が設置され、シャフト（4）上に変速機関（5）が設置され、シャフト（4）は変速機関（5）により、回転速度を変えてミル（2）を回転させることを特徴とするコーヒーミル機能付きコーヒータンブラー。
【請求項２】
シャフト(4)は第1シャフト(41)と第2シャフト(42)を含み、変速機関(5)は第1シャフト(41)と第2シャフト(42)の間にあり、第1シャフト(41)の回転数を変速後、第2シャフト(42)より出力され、タンブラー本体(1)上にはハンドル(6)が設置され、ハンドル(6)と第1シャフト(41)は連接しており、第1シャフトを回転させ、第2シャフト(42)とミル(2)は連接しており、ミル(2)を回転させる請求項１に記載のコーヒーミル機能付きコーヒータンブラー。
【請求項３】
変速機機関（5）は太陽歯車（51）と遊星歯車（52）、フランジ（53）と、タンブラー本体（1）内に固定された内歯車（54）を含み、太陽歯車（51）と遊星歯車（52）は等しく内歯車（54）内に設置され、フランジ（53）上には遊星歯車のシャフト（531）が設置され、遊星歯車（52）は遊星歯車のシャフト（531）により、太陽歯車（51）と内歯車（54）の間に設置され、太陽歯車（51）と遊星歯車（52）は噛み合っており、遊星歯車（52）と内歯車（54）は噛み合っており、第1シャフト(41)と太陽歯車(51)は連接しており、太陽歯車(51)により、遊星歯車(52)を回転させ、遊星歯車(52)はフランジ(53)により第2シャフト(42)を回転させる請求項２に記載のコーヒーミル機能付きコーヒータンブラー。
【請求項４】
ハンドル（6）は移動プレート（61）と、移動プレート（61）上に設置されたグリップ（62）を含み、移動プレート（61）上には長方形のスペース（611）が設けられ、第1シャフト（41）の上端にネジ山が設けられ、第1シャフト（41）の上端は長方形のスペース（611）を突き通し、ナットにより移動プレート（61）は第1シャフト（41）上に固定され、長方形のスペース（611）の孔径は第1シャフト(41)の軸径より大きく、移動プレート（61）は長方形のスペース（611）により、第1シャフト（41）の相対的な位置移動を実現する請求項２に記載のコーヒーミル機能付きコーヒータンブラー。
【請求項５】
タンブラー本体（1）は、キャップ（14）、第1タンブラー本体（11）、第2タンブラー本体（12）、第3タンブラー本体（13）を含み、キャップ（14）、第1タンブラー本体（11）、第2タンブラー本体（12）と第3タンブラー本体（13）は、上部から下部まで順次接続され、ハンドル（6）と変速機構（5）はキャップ（14）に設置され、ミルカバー（3）とミル（2）は第1タンブラー本体（11）内に設置され、第2タンブラー本体（12）内にはフィルター（７）が設置される請求項２に記載のコーヒーミル機能付きコーヒータンブラー。
【請求項６】
第1タンブラー本体（11）の外側の表面に突起（111）が設置され、突起（111）は2か所あり、且つ対称的に第1タンブラー本体（11）に設置される請求項５に記載のコーヒーミル機能付きコーヒータンブラー。
【請求項７】
第2シャフト（42）とミル（2）の間にバネ（8）が設置され、第2シャフト（42）はバネ（8）により、ミル（2）に下向きの力を伝達する請求項２に記載のコーヒーミル機能付きコーヒータンブラー。
【考案の詳細な説明】
【技術分野】
【０００１】
本考案はコーヒータンブラーに関するものであり、特にコーヒーミル機能付きコーヒータンブラーに関するものである。
【背景技術】
【０００２】
コーヒーは人々がいつも飲む飲物である。生活レベルの向上に伴い、人々のコーヒータンブラーに対するリクエストも日増しに高くなっている。しかしながら一定の鑑賞性があり、多機能と実用性を備えている必要がある。現在、比較的多くの人がコーヒー文化を重視しだし、日常的にコーヒーを飲用するプロセスでも、コーヒー豆を挽いて、コーヒーを淹れる傾向にある。伝統的な、ただ入れるだけのインスタントコーヒーのコーヒーカップでは、すでに人々のリクエストを満足できない。このほか、普通のミル装置には変速装置が設置されておらず、コーヒーを挽くのに多くの時間と労力が必要となる。
【考案の概要】
【考案が解決しようとする課題】
【０００３】
本考案は従来の技術におけるコーヒーを挽く際の時間と労力という欠点に対し、コーヒーミル機能付きコーヒータンブラーを提供するものである。
【０００４】
上記の技術的な問題を解決するために、本考案においては下記の技術な解決法により解決した。
コーヒーミル機能付きコーヒータンブラーは、タンブラー本体、タンブラー本体内に設置されたミル、ミルカバーと、ミルと連接しているシャフト、シャフト上に設置された変速機関を含む。シャフトにより変速機関は回転速度を変化させ、ミルを回転させる。操作者は変速機関により、シャフト条の回転速度を減速させ、コーヒー豆の研磨に対するちからを増加させて、コーヒー豆の研磨からより手間を省き、手軽にさせる。
【０００５】
本発明によれば、シャフトには第１シャフトと第２シャフトが含まれる。変速機関は第１シャフトと第２シャフトの間に設置され、第１シャフトの回転速度を変速後、第２シャフトより出力する。タンブラー本体上にハンドルが設置されている。ハンドルと第１シャフトは連接し、第１シャフトを回転させる。第２シャフトとミルは連接し、ミルを回転させる。第１シャフトと第２シャフトにより変速機関の入力側と出力側が連接され、ミルの運転を効果的に制御する。
【０００６】
本発明によれば、変速機関は太陽歯車、遊星歯車、フランジと、タンブラー本体内に固定された内歯車を含む。太陽歯車と遊星歯車は等しく内歯車内に設置されている。フランジ上に遊星歯車のシャフトが設置されている。遊星歯車は遊星歯車のシャフトにより、太陽歯車と内歯車の間に設置されている。太陽歯車と遊星歯車が噛み合う。遊星歯車と内歯車が噛み合う。第１歯車と太陽歯車は連接し、太陽歯車により遊星歯車が回転する。遊星歯車はフランジにより、第２シャフトを回転させる。遊星式減速機の原則構造は小型で軽量、駆動比の範囲も広く、高い効率と安定した作業性、速度範囲の広さなどの優れた点がある。効果的に操作者の手動による回転速度を、ミル上で低速へと転化させ、研磨のプロセスをより手軽なものとする。
【０００７】
本考案によれば、ハンドルは移動プレートと移動プレート上に設置されたグリップを含む。移動プレート上には、長方形のスペースが設けられている。第１シャフトの上端にネジ山が設けられている。第１軸の上端は、長方形のスペースを突き抜け、移動プレートはネジにより第1シャフト上に固定されている。長方形のスペースの孔径は第１軸のシャフトの軸径より大きい。移動プレートは長方形のスペースにより、第１シャフトの相対的な位置移動を実現する。長方形のスペースにより、ハンドルのタンブラー本体に関する位置移動を実現することができる。ハンドルを戻すと、効果的にタンブラー本体の保管スペースを減少させ、携帯と保存に便利である。
【０００８】
本考案によれば、タンブラー本体はキャップ、第１タンブラー本体、第２タンブラー本体と第タンブラー本体を含む。キャップ、第１タンブラー本体、第２タンブラー本体と第3タンブラー本体は上から下に順次接続されている。ハンドルと変速機関はキャップの上に設置されている。ミルカバーとミルは第タンブラー本体内に設置されている。第２タンブラー本体内にはフィルターが設置されている。キャップ、第１タンブラー本体、第２タンブラー本体と第３タンブラー本体の分離式デザインはタンブラー本体の構造をよりシンプルにし、取り外しと洗浄に便利である。
【０００９】
本考案によれば、第１タンブラー本体の外側の表面に突起が設置されている。突起は２か所あり、且つ対称的に第１タンブラー本体に設置されている。ストラップを突起上に設置し、ストラップによりタンブラー本体を携帯する際に便利である。
【００１０】
本考案によれば、第２シャフトとミルの間にはバネが設置されている。第２シャフトはバネにより、ミルに下向きの力を伝達する。バネによりミルに加える下向きの圧力を与える。ミルが回転する際に、下向きにコーヒー豆を押し潰すことで、コーヒーの粉がより細かく研磨される。
【００１１】
本考案は以上の技術的な解決方法により、明確な技術的効果を備えるものである。減速機関によりコーヒー豆の研磨の力を増加させ、コーヒー豆の研磨の労力をより省き、手軽にさせた。
【図面の簡単な説明】
【００１２】
【図１】本考案の構造図である。
【図２】図１中のキャップの構造図である。
【図３】図１の第１ケトルの構造図である。
【図４】図１の移動プレートの構造図である。
【考案を実施するための形態】
【００１３】
以下は添付図と実施例を結び付け、本考案に対してさらに詳細な描写を行う。
【実施例】
【００１４】
コーヒー豆の研磨機能を備えたコーヒータンブラーは、図に示す通り、タンブラー本体1、タンブラー本体1内に設置されたミル2、ミルカバー3とミル2と連接しているシャフト4を含む。シャフト4上に変速機関5は設置されている。シャフト4は変速機関5により回転速度を変化させ、ミル2を回転させる。シャフト4は第１シャフト41と第２シャフト42を含む。変速機関5を第１シャフト41と第２シャフト42の間に設置し、第１シャフト41の回転速度を変速後、第２シャフト42により出力する。タンブラー本体1上にハンドル6が設置されている。ハンドル6と第１シャフト41は連接し、第１シャフト42を回転させる。第２シャフト42とミル2は連接し、ミル2を回転させる。変速機構5は太陽歯車51、遊星歯車52、フランジ53とタンブラー本体1内に固定された内歯車54を含む。太陽歯車51と遊星歯車52は等しく内歯車54内に設置されている。フランジ53上に遊星シャフト531が設置されている。遊星歯車52は遊星歯車のシャフト531により太陽歯車51と内歯車の間に設置されている。太陽歯車51と遊星歯車52は噛み合う。遊星歯車52と内歯車は噛み合う。第１シャフト41と太陽歯車51は連接し、太陽歯車51により遊星歯車52を回転させる。遊星歯車52はフランジ53により第２シャフト42を回転させる。ハンドル6は移動プレート61と移動プレート上に設置されたグリップ62を含む。グリップ62はねじにより移動プレート62上に設置され、コーヒー豆を研磨する際に、手でグリップ62をつまみ、移動プレート61を回転させる。
【００１５】
移動プレート61上に長方形のスペース611が設けられる。第１シャフト41の上端にネジ山が設けられる。第１シャフト41の上端は長方形のスペー611を突き抜け、ネジにより移動プレート61を第１シャフト41上に固定する。長方形のスペース611の孔径は第１シャフト41の軸径より大きい。移動プレート61は長方形のスペース611により、第１シャフト41の相対的な位置移動を実現する。コーヒー豆の研磨が必要な際は、まず第１シャフト41のネジを緩め、ハンドル6を外側に向けて引き動かす。この際に移動プレート61は外に向かい移動し、第１シャフト41が長方形のスペース611の端に移動した際、ネジを用いて第１シャフト41と移動プレート61を固定し接続する。コーヒーを研磨する必要がない際には、ネジを緩め、長方形のスペース611を第1シャフト41上で動かし、ハンドル6を戻す。
【００１６】
タンブラー本体1はキャップ14、第１タンブラー本体11、第２タンブラー本体12と第3タンブラー本体13を含む。キャップ14、第１タンブラー本体11、第２タンブラー本体12と第３タンブラー本体13は上から下に順次接続されている。ハンドル6と変速機関5はキャップ上に設置されている。ミルカバー3とミル2は第1タンブラー本体11内に設置されている。第２タンブラー本体12内にはフィルター7が設置されている。コーヒー豆を第１タンブラー本体11に入れ、キャップ14を閉める。キャップ14上のハンドル6を回す。ハンドル6と第１シャフト41は連接している。第１シャフト41と太陽歯車51は連接している。太陽歯車51は遊星歯車52を回転させる。遊星歯車52は遊星歯車のシャフト53を回転させる。フランジ53の回転速度は第1シャフト41と比較して回転速度が低速になる。フランジ53は第２シャフト42を回転させる。第２シャフト42はミル2を回転させる。ミル2とミルカバー3にコーヒー豆の研磨を実現させる。研磨されたコーヒー豆の粉は、第２タンブラー本体12の中に落ち、第２タンブラー本体12の中のフィルター7により濾過される。濾過された後のコーヒーの粉は第３タンブラー本体13に落下し、コーヒーを淹れて飲むことができる。第１タンブラー本体11の外側の表面に突起111が設置される。突起111は2か所あり、且つ対称的に第１タンブラー本体11に設置されている。ストラップを突起111上に設置すると、ストラップによりコーヒータンブラーの携帯に便利である。外出する際に、ストラップによりコーヒータンブラーを携帯でき、とても便利で実用的である。第２シャフト42とミル2の間にはバネ8が設置されている。第２シャフト42はバネ8を通し、ミル2に下向きの力を伝達する。
【００１７】
前記のすべては本考案の好ましい実施例のみであり、本実用新案登録請求の範囲における変化と修正は等しく、すべて本実用新案登録請求の範囲に属する。
【符号の説明】
【００１８】
１： タンブラー本体
２：ミル
３：ミルカバー
４：シャフト
５：変速機関
６：ハンドル
７：フィルター
８：バネ
１１：第１タンブラー本体
１２：第２タンブラー本体
１３：第３タンブラー本体
１４：キャップ
４１：第１シャフト
４２：第２シャフト
５１：太陽歯車
５２：遊星歯車
５３：フランジ
５４：内歯車
６１：移動プレート
６２：グリップ
１１１：突起
５３１：遊星歯車のシャフト
６１１：長方形のスペース
【図１】
0003205338.tif 000003
【図２】
0003205338.tif 000004
【図３】
0003205338.tif 000005
【図４】
0003205338.tif 000006